(57)【要約】【課題】機器異常による貯蔵室内の温度上昇や温度降下が発生した場合と、扉が開放された際の貯蔵室内の温度上昇や温度降下が発生した場合とを区別することができる貯蔵庫の警報装置を提供する。【解決手段】貯蔵庫１の警報器３０は、貯蔵室３内の温度を検出する温度検出手段（温度センサ２４）と、警報出力を発生する警報手段（警報器３０、表示装置２８）と、温度検出手段の出力に基づき、貯蔵室３内の温度が所定の警報発生温度条件を満たした場合に、警報手段にて警報出力を発生する制御手段（制御装置２０）とを備える。制御手段は、貯蔵室３内の温度変化の勾配を算出しており、当該貯蔵室３内の温度が警報発生温度条件を満たした場合であっても、算出された温度勾配が所定値以上であるときは、警報手段による警報出力の発生を禁止する。【選択図】図３
2008241067.tif 000002
【特許請求の範囲】
【請求項１】
貯蔵室を扉にて開閉自在に閉塞すると共に、当該貯蔵室内を冷却又は加温して成る貯蔵庫において、
前記貯蔵室内の温度を検出する温度検出手段と、
警報出力を発生する警報手段と、
前記温度検出手段の出力に基づき、前記貯蔵室内の温度が所定の警報発生温度条件を満たした場合に、前記警報手段にて警報出力を発生する制御手段とを備え、
該制御手段は、前記貯蔵室内の温度変化の勾配を算出しており、当該貯蔵室内の温度が前記警報発生温度条件を満たした場合であっても、前記算出された温度勾配が所定値以上であるときは、前記警報手段による警報出力の発生を禁止することを特徴とする貯蔵庫の警報装置。
【請求項２】
前記制御手段は、前記警報出力の発生を禁止した後、所定時間前記貯蔵室内の温度が前記警報発生温度条件を満たしている場合、前記警報手段にて警報出力を発生することを特徴とする請求項１に記載の貯蔵庫の警報装置。
【請求項３】
前記制御手段は、前記温度勾配が前記所定値未満であるときに発生させる警報と、所定値以上であって、且つ、所定時間前記警報発生温度条件を満たしている場合に発生させる警報とを区別して出力することを特徴とする請求項２に記載の貯蔵庫の警報装置。
【発明の詳細な説明】
【技術分野】
【０００１】
本発明は、貯蔵室を扉にて開閉自在に閉塞すると共に、当該貯蔵室内を冷却又は加温して成る貯蔵庫の警報装置に関するものである。
【背景技術】
【０００２】
従来よりコンビニエンスストアやスーパーマーケット、或いは、デパートの食品売り場などに設置された、業務用の貯蔵庫や低温ショーケース、或いは、プレハブ貯蔵庫においては、冷却装置を構成するコンプレッサ、凝縮器、冷却器などを内蔵し、このコンプレッサから吐出された冷媒を凝縮器にて凝縮し、減圧装置にて減圧した後、冷却器に供給して冷却効果を発揮させ、この冷却器にて冷却された冷気を冷却ファンにて庫内（貯蔵室）に循環している（特許文献１参照）。
【０００３】
また、この種店舗には貯蔵室内をヒータで加温する加温庫、貯蔵室内を冷却装置で冷却する低温庫、これらを切り換え使用できる冷／温切換式の貯蔵庫が設置され、低温商品又は加温商品の販売促進が図られている。
【０００４】
該貯蔵室の下部には機械室が設けられており、この機械室内に冷却装置を構成するコンプレッサ、凝縮器、冷却器などが配設されている。そして、コンプレッサから吐出された冷媒は凝縮器にて凝縮され、減圧装置にて減圧された後、冷却器に供給されて冷却効果を発揮し、この冷却器にて冷却された冷気を冷却ファンにて循環させて貯蔵室を冷却している。
【０００５】
また、コンプレッサや凝縮器周辺には凝縮器用ファンが設置されており、この凝縮器用ファンにて凝縮器やコンプレッサを空冷する構成とされている。そして、これらコンプレッサや冷却ファン、凝縮器用ファンなどは汎用マイクロコンピュータにより構成された制御装置によって運転が制御されている。
【０００６】
該制御装置には、通常貯蔵室内の温度を検出する温度センサが接続されており、スイッチや可変抵抗によって設定された貯蔵室内の温度と、前記温度センサが検出した貯蔵室内の温度とを比較することにより上記コンプレッサなどの制御を行う。この制御装置は、コンプレッサや凝縮器などに異常が発生した場合警報を発報し、使用者に知らせると同時に、警備会社やメンテナンス業者などに報知していた。
【特許文献１】特開平５−３２２４１５号公報
【発明の開示】
【発明が解決しようとする課題】
【０００７】
ところで、使用者が商品を貯蔵室内に陳列する際、或いは、商品を貯蔵室内から取り出す際、扉が開放された場合にも、外気の侵入と貯蔵室内空気の流出により、貯蔵室内の温度は所定の設定温度より外れてしまうことになる。
【０００８】
従来では、このような使用者の扉開放による貯蔵室内の温度上昇や温度低下の場合にも、機器異常による貯蔵室内の温度異常と区別することなく同様の警報を発し、警備会社やメンテナンス業者などに通報してしまっており、改善が望まれていた。
【０００９】
本発明は、係る従来技術の課題を解決するために成されたものであり、機器異常による貯蔵室内の温度上昇や温度降下が発生した場合と、扉が開放された際の貯蔵室内の温度上昇や温度降下が発生した場合とを確実に区別することができる貯蔵庫の警報装置を提供することを目的とする。
【課題を解決するための手段】
【００１０】
即ち、本発明の貯蔵庫の警報装置は、貯蔵室を扉にて開閉自在に閉塞すると共に、当該貯蔵室内を冷却又は加温して成るものであって、貯蔵室内の温度を検出する温度検出手段と、警報出力を発生する警報手段と、温度検出手段の出力に基づき、貯蔵室内の温度が所定の警報発生温度条件を満たした場合に、警報手段にて警報出力を発生する制御手段とを備え、該制御手段は、貯蔵室内の温度変化の勾配を算出しており、当該貯蔵室内の温度が警報発生温度条件を満たした場合であっても、算出された温度勾配が所定値以上であるときは、警報手段による警報出力の発生を禁止することを特徴とする。
【００１１】
また、請求項２の発明の貯蔵庫の警報装置は、上記において、制御手段は、警報出力の発生を禁止した後、所定時間貯蔵室内の温度が警報発生温度条件を満たしている場合、警報手段にて警報出力を発生することを特徴とする。
【００１２】
また、請求項３の発明の貯蔵庫の警報装置は、請求項２において、制御手段は、温度勾配が所定値未満であるときに発生させる警報と、所定値以上であって、且つ、所定時間警報発生温度条件を満たしている場合に発生させる警報とを区別して出力することを特徴とする。
【発明の効果】
【００１３】
本発明では、貯蔵室を扉にて開閉自在に閉塞すると共に、当該貯蔵室内を冷却又は加温して成る貯蔵庫において、貯蔵室内の温度を検出する温度検出手段と、警報出力を発生する警報手段と、温度検出手段の出力に基づき、貯蔵室内の温度が所定の警報発生温度条件を満たした場合に、警報手段にて警報出力を発生する制御手段とを備え、該制御手段は、貯蔵室内の温度変化の勾配を算出しており、当該貯蔵室内の温度が警報発生温度条件を満たした場合であっても、算出された温度勾配が所定値以上であるときは、警報手段による警報出力の発生を禁止するので、扉の解放時に急激に温度が変化することに着目し、例えば、算出された温度勾配が所定値以上のときに扉の開放、所定値未満の場合は機器異常と判断することにより、物品の納出時の扉の開放による温度異常と機器の異常に伴う温度異常を区別し、扉の開放による場合には警報出力の発生を禁止することができるようになる。これにより、警報発生原因を特定してメンテナンスの負担を軽減することが可能となるものである。
【００１４】
また、請求項２の発明では、制御手段は、警報出力の発生を禁止した後、所定時間貯蔵室内の温度が警報発生温度条件を満たしている場合、警報手段にて警報出力を発生するので、例えば、扉の閉め忘れにより所定時間温度異常となっていることを警報することができるようになる。これにより、使用者に扉を閉じることを促して貯蔵室内に収納した物品に損傷が発生する不都合を未然に防止することが可能になる。
【００１５】
また、請求項３の発明では、制御手段は、温度勾配が所定値未満であるときに発生させる警報と、所定値以上であって、且つ、所定時間警報発生温度条件を満たしている場合に発生させる警報とを区別して出力するようにしたので、上述した扉の閉め忘れの場合の警報と機器異常による警報とを区別することができるようになり、使用者に警報発生原因を的確に報知して迅速な対応を促すことが可能となるものである。
【発明を実施するための最良の形態】
【００１６】
本発明は、扉が開放された場合の警報と、機器が異常の場合の警報とが混同してしまうのを防止することを最も主要な特徴とする。扉が開放された場合と、機器が異常の場合の警報との混同を防止するため、扉が開放された場合の経過温度と、機器が異常の場合の経過温度との温度勾配の差により判断することで実現した。
【００１７】
以下、本発明の実施の形態を図面に基づいて説明する。図１は本発明の一実施例を示す貯蔵庫１の概略断面図、図２は本発明の貯蔵庫１の制御を行う制御回路のブロック図をそれぞれ示している。
【００１８】
本実施形態における貯蔵庫１は、ジュースやコーヒーなどを所定の温度に冷却して販売する低温商品を冷蔵する低温庫として、或いは、揚げた後所定の温度で陳列するポテトなどを所定の温度に加温して温蔵する温蔵商品を温蔵する加温庫として使用可能な、冷／温切換式の貯蔵庫である。この貯蔵庫１は、図１に示すように前面に開口する断熱箱体２により本体５を構成しており、この断熱箱体２内に貯蔵室（庫内）３が構成されている。この貯蔵室３の前面開口（図示せず）は、例えば左右にスライドする引き戸式の２枚の透明扉４により開閉自在に閉塞されている。
【００１９】
また、貯蔵室３内には商品陳列用の棚１０が上下に複数段（実施例では２段）設けられており、その後方には断熱箱体２と所定の間隔を存して後壁２Ａが設けられている。後壁２Ａと断熱箱体２との間にはダクト２Ｂが形成されており、このダクト２Ｂ内に冷却装置の冷凍サイクルを構成する冷却器６が設置されている。
【００２０】
後壁２Ａの下方となるダクト２Ｂの吸い込み口近傍には、貯蔵室３内の温度を検出するための温度センサ２４（本発明の温度検出手段に相当）が設けられると共に、ダクト２Ｂの上部には図示しないモータにて駆動される冷却ファン７が設置されている。温度センサ２４は、温蔵、冷蔵の時も貯蔵室３内の温度を検出し、検出された貯蔵室３内の温度は制御装置（制御手段）２０にて検出される。本体５前面には複数のＬＥＤ或いはＬＣＤなどにて構成された表示装置（これも警報手段である）２８が設けられており、この表示装置２８は貯蔵室３内の温度が異常であることを点灯、或いは、点滅して使用者に報知できるように構成されている。
【００２１】
該断熱箱体２の下側には機械室１２が形成されており、この機械室１２内には前記冷却器６と共に冷却装置の冷凍サイクルを構成するコンプレッサ１３、凝縮器１４、凝縮器用ファン１６などが設置されている。また、本体５前面には使用者が操作を行う冷蔵／温蔵切り換え用の冷／温切換用スイッチ２６が設けられている。
【００２２】
一方、貯蔵室３内に複数段設けられた棚１０の裏側には加温用ヒータ２２（電気ヒータ）がそれぞれ取り付けられている。この加温用ヒータ２２には図示しない単相交流商用電源及び制御装置２０が接続されており、貯蔵室３内を加温して使用する場合には、単相交流商用電源が加温用ヒータ２２に通電されることにより貯蔵室３内は加温される。該制御装置２０は、メモリを備えた汎用マイクロコンピュータにより構成されると共に、この制御装置２０は加温用ヒータ２２への通電を制御して、貯蔵室３内を例えば＋６０℃に制御する。尚、貯蔵室３を加温するときは、コンプレッサ１３の運転は停止して加温用ヒータ２２に通電し、冷却するときは、加温用ヒータ２２への通電が遮断されコンプレッサ１３が運転される。
【００２３】
また、制御装置２０には、図２に示すように温度センサ２４、冷／温切換用スイッチ２６、凝縮器用ファン１６、コンプレッサ１３、冷却ファン７、表示装置２８、加熱用ヒータ２２、及び、貯蔵室３内の温度が異常であることを音で報知する警報器（警報手段）３０が接続されている。そして、制御装置２０は、貯蔵庫１の機器が正常に運転され、貯蔵室３内が所定の設定温度に維持されている場合は正常動作と判断し、機器に異常が発生し、貯蔵室３内が所定の設定温度から外れている場合は異常動作と判断する。即ち、制御装置２０は、温度センサ２４の出力に基づいて、貯蔵室３内の温度が所定の警報発生温度条件を満たした場合に、警報器３０にて警報出力を発生するように構成されている。これら制御装置２０と警報器３０などにより本発明の警報装置が構成される。尚、警報発生温度条件は後で説明する。
【００２４】
一方、貯蔵室３内を冷却して使用する場合には、コンプレッサ１３を運転する。このコンプレッサ１３が運転されると、コンプレッサ１３から吐出された高温高圧のガス冷媒は凝縮器１４にて放熱されて凝縮し、図示しない減圧装置にて減圧された後、冷却器６に供給される。冷却器６ではこの冷媒が蒸発することにより冷却作用を発揮し、その後低温のガス冷媒はコンプレッサ１３に再び帰還する。
【００２５】
前記冷却ファン７が運転されると、図１矢印で示すように貯蔵室３内の空気はダクト２Ｂの下方から吸い込まれ、冷却器６で冷却された後貯蔵室３内に循環される。そして、貯蔵室３内を循環する空気が、温度センサ２４により検出された貯蔵室３内の温度によって、貯蔵室３内は制御装置２０（図２に図示：本発明の制御手段に相当）で所定の冷却温度（例えば、０℃）に制御される。貯蔵室３が冷却されると、各棚１０上に陳列された商品は所定の低温に冷却される。また、凝縮器用ファン１６が運転されると、外気が凝縮器１４、コンプレッサ１３に通風されて、それらが空冷される。
【００２６】
ここで、貯蔵庫１を構成する機器が正常で扉４が開放された時、及び、扉４が閉じられていて機器が故障した時の貯蔵室３内の温度変化の様子を図３に示している。貯蔵室３の温度は温度センサ２４にて検出され、表示装置２８に表示されている。尚、図３の縦軸には、温度（℃）を示しており、下から上方に行くに従って低温から高温になる。また、図３横軸には時間（分）を示しており、左から右方向に行くに従って時間が経過する。また、貯蔵室３内の冷蔵温度は説明のため基準を０℃に記載しているが、基準は０℃でなくても差し支えない。
【００２７】
貯蔵庫１のコンプレッサ１３が運転され、貯蔵室３内が所定の冷蔵温度に冷蔵されているときに、図中約１０分のところで扉４が開放されると、前面開口から外気が一気に貯蔵室３内に流入し、冷気が流出する。貯蔵室３内に外気が流入し、冷気が流出すると、貯蔵室３内は図中１０分の位置から急激に温度上昇していき、約１６分の位置で最高温度（約＋１５℃）まで上昇し、それ以降は貯蔵室３内の温度は上昇せず、略所定温度に維持される。即ち、貯蔵室３内の冷却中に扉４が開放されると、約１分間に２．５ｄｅｇの割合で貯蔵室３内の温度が上昇していく。そして、制御装置２０は貯蔵室３内の温度変化の勾配を算出している。
【００２８】
一方、扉４が閉じられた状態で例えば図中約４分のところで機器異常が発生（この場合、機器異常としてコンプレッサ１３が不動）した場合、貯蔵庫１内は緩やかに温度上昇していき、約３４分の位置で前述同様の最高温度まで上昇する。即ち、貯蔵庫１本体５は断熱箱体２にて構成しているので、冷却された貯蔵室３内は、扉４を開放したときよりも急激には暖まり難い。これにより、貯蔵室３内の冷却中に機器異常が発生した場合でも約１分間に０．５ｄｅｇと緩やかな割合で貯蔵室３内の温度が上昇していくことになる。制御装置２０はこの場合も貯蔵室３内の温度変化の勾配を算出している。
【００２９】
そして、制御装置２０には、扉４が開放された時と機器異常の時の判断基準を設けている。貯蔵庫１の扉４が開放された時の貯蔵室３内の温度上昇（１分間に２．５ｄｅｇ）と、機器異常時の貯蔵室３内の温度上昇（１分間に０．５ｄｅｇ）の中間の値は、１分間に１．５ｄｅｇ上昇することとなる。そこで、制御装置２０には、扉４が開放された時と、機器異常時の貯蔵室３内の温度上昇の判断基準を１分間で１．５ｄｅｇ上昇としている。
【００３０】
即ち、貯蔵室３内が１分間に１．５ｄｅｇ以上温度上昇した場合は扉４が開放された時、１分間に１．５ｄｅｇ未満の温度上昇の場合は機器異常とし、この判断基準は制御装置２０のメモリに記憶される。また、制御装置２０には、温度センサ２４にて検出される貯蔵室３内の温度＋１１℃を高温警報温度とし、この高温警報温度以上である場合を警報発生温度条件を満たした温度異常状態としている。
【００３１】
また、制御装置２０には、扉４が開放された時、貯蔵室３内の温度が高温警報温度（＋１１℃）以上である状態が所定時間（例えば５分）経過した場合には扉４が閉め忘れられたものと判断し、警報を行うような制御も記憶されている。尚、貯蔵庫１を加温して使用する時には、高温警報温度とは逆の低温警報温度（図示しないが、図３の上下を逆にしたグラフ）となる。そして、この場合には低温警報温度以下となることが警報発生温度条件を満たした温度異常状態となる。また、制御装置２０は、扉４の閉め忘れ時の警報は、機器異常時の警報と異なる警報を発するように構成されている。
【００３２】
このように、扉４が開放された時の貯蔵室３内の温度上昇と、機器異常のときの貯蔵室３内の温度上昇とをふまえて、次にそれらの正常動作と、異常動作の説明を行う。尚、貯蔵庫１前面の冷／温切換用スイッチ２６は、使用者により操作されて使用状況に応じて冷／温切換が行われるものとする。
【００３３】
次に、貯蔵庫１の正常動作と異常動作の説明を行う。詳しくは、貯蔵庫１の冷却使用時と加温使用時の機器と扉開放時の正常動作説明、及び、貯蔵庫１の冷却使用時と加温使用時の機器と扉開放時の異常動作説明を順を追って説明を行う。
【００３４】
貯蔵庫１の正常動作説明。
【００３５】
１．冷却使用時。尚、このときの加温用ヒータ２２はＯＦＦ状態である。
【００３６】
１−１．機器の正常動作。
【００３７】
コンプレッサ１３が運転されて冷却器６により、貯蔵室３内が所定の冷蔵温度に維持されている状態で貯蔵庫１が正常に動作していることとなる。即ち、制御装置２０はコンプレッサ１３が運転された後、温度センサ２４が検出した貯蔵室３内が所定の冷蔵温度（０℃或いは＋５℃など）で維持されている場合、機器は正常に運転されているものと判断して、警報器３０や表示装置２８を動作させない。
【００３８】
１−２．扉開放時の正常動作。
【００３９】
扉開放時の正常動作は、使用者により扉４が開放されて、貯蔵室３内の温度が高温警報温度以上に上昇した場合でも、所定時間以内に扉４が閉じられた場合は正常に動作していることとなる。即ち、制御装置２０は、コンプレッサ１３が運転された後、温度センサ２４が検出した貯蔵室３内が１分間に１．５ｄｅｇ以上温度上昇した場合、扉４が開放されたものと判断する。そして、貯蔵室３内の温度が高温警報温度（＋１１℃）まで上昇してから５分間経過する以前に扉が閉じられて、貯蔵室３内の温度が高温警報温度より低下した場合には、制御装置２０は、機器は正常に運転されているものと判断して、警報器３０や表示装置２８を動作させない。
【００４０】
２．加温使用時。尚、このときのコンプレッサ１３はＯＦＦ状態である。
【００４１】
２−１．機器の正常動作。
【００４２】
加温用ヒータ２２により、貯蔵室３内が所定の温蔵温度に維持されている状態で貯蔵庫１は正常に動作していることとなる。即ち、制御装置２０は、加温用ヒータ２２が発熱して温度センサ２４が検出した貯蔵室３内が所定の温蔵温度（＋６０℃）で維持されている場合、機器は正常に運転されているものと判断して、警報器３０や表示装置２８を動作させない。
【００４３】
２−２．扉開放時の正常動作。
【００４４】
扉開放時の正常動作は、使用者により扉４が開放されて、貯蔵室３内の温度が下降して所定の低温警報温度（例えば、＋３０℃などの警報発生温度条件）以下になった場合にも、所定時間以内に扉４が閉じられた場合には正常に動作していることとなる。即ち、制御装置２０は、加温用ヒータ２２が加熱されている状態で温度センサ２４が検出した貯蔵室３内が１分に１．５ｄｅｇ以上温度が下降した場合、扉４が開放されたものと判断する。そして、貯蔵室３内の温度が低温警報温度（＋３０℃）以下となってから５分間経過する以前に扉が閉じられて、貯蔵室３内の温度が低温警報温度より上昇した場合には、制御装置２０は、機器は正常に運転されているものと判断して、警報器３０や表示装置２８を動作させない。
【００４５】
次に、貯蔵庫１の異常動作説明を行う。
【００４６】
３．冷却使用時。尚、このときの加温用ヒータ２２はＯＦＦ状態である。
【００４７】
３−１．機器の異常動作。
【００４８】
例えば、コンプレッサ１３に通電するためのマグネットスイッチなどが故障した場合、コンプレッサ１３は不動となる。この状態では、貯蔵室３内の温度は冷蔵温度に維持されている状態から、所定の割合で上昇しつづけることになる。制御装置２０は温度センサ２４が検出した貯蔵室３内の温度が冷蔵温度で維持されずに１分間に１．５ｄｅｇ未満の割合（温度勾配）で上昇し、高温警報温度（＋１１℃）に達した場合、機器異常と判断して、警報器３０を動作させて、警報を発報する。即ち、制御装置２０は、温度センサ２４の出力に基づいて、貯蔵室３内の温度が所定の高温警報温度以上となった場合に、警報器３０にて警報出力を発生する。このとき、契約しているメンテナンス業者に機器異常を通報する。また、表示装置２８に高温警報の機器異常である旨を表示する。
【００４９】
３−２．扉開放時の異常動作。
【００５０】
使用者により扉４が開放され、貯蔵室３内の温度が上昇して所定時間経過しても扉４が閉じられない場合である。制御装置２０は、温度センサ２４が検出した貯蔵室３内の温度が所定の冷蔵温度で維持されずに１分間に１．５ｄｅｇ以上の割合で上昇した場合、扉４の開放による温度上昇と判断する。そして、貯蔵室３内の温度が高温警報温度に達した場合（警報発生温度条件を満たした場合）であっても、制御装置２０は、この場合の温度勾配が所定値以上（１分間に１．５ｄｅｇ以上）であるので、警報器３０による警報出力の発生を行わない。
【００５１】
しかしながら、貯蔵室３内の温度が高温警報温度以上となっている状態が約５分以上経過した場合には、制御装置２０は扉４の閉め忘れと判断して警報器３０を動作させ、扉閉め忘れ警報を発報すると共に、表示装置２８に扉閉め忘れを表示する。このように表示装置２８の警報表示は、機器の異常動作とは異なる表示を行えば、貯蔵庫１の異常動作が機器の異常動作であるのか扉閉め忘れ時の異常動作であるのかを視覚により区別することができるようになる。尚、機器異常による警報を例えば大きなブザー音、扉閉め忘れ時の警報を例えばメロディなどで警報器３０で発報してもよい。これにより、機器の異常動作であるのか扉閉め忘れの異常動作であるのかを聴覚でも確実に区別することができる。
【００５２】
４．加温使用時。尚、このときのコンプレッサ１３はＯＦＦ状態である。
【００５３】
４−１．機器の異常動作。
【００５４】
加温用ヒータ２２により、貯蔵室３内が所定の温蔵温度に維持されている状態から、例えば加温用ヒータ２２が断線すると、貯蔵室３内の温度は所定の割合で降下していく。即ち、制御装置２０は、温度センサ２４が検出した貯蔵室３内が所定の温蔵温度（＋６０℃）で維持されずに１分間に１．５ｄｅｇ未満の割合（温度勾配）で降下し、低温警報温度に達した場合、機器異常と判断して、警報器３０を動作させて、警報を発報する。これにより、使用者は、機器の異常動作を把握することができる。このとき、契約しているメンテナンス業者に機器異常を通報する。また、表示装置２８に低温警報の機器異常である旨を表示する。
【００５５】
４−２．扉開放時の異常動作。
【００５６】
使用者により扉４が開放され、貯蔵室３内の温度が降下して所定時間経過しても扉４が閉じられない場合である。制御装置２０は、温度センサ２４が検出した貯蔵室３内の温度が所定の温蔵温度で維持されずに１分間に１．５ｄｅｇ以上の割合で降下した場合、扉４の開放による温度降下と判断する。そして、貯蔵室３内の温度が低温警報温度に達した場合（警報発生温度条件を満たした場合）であっても、制御装置２０は、この場合の温度勾配が所定値以上（１分間に１．５ｄｅｇ以上）であるので、警報器３０による警報出力の発生を行わない。
【００５７】
しかしながら、貯蔵室３内の温度が低温警報温度以下となっている状態が約５分以上経過した場合には、制御装置２０は扉４の閉め忘れと判断して警報器３０を動作させ、扉閉め忘れ警報を発報すると共に、表示装置２８に扉閉め忘れを表示する。このように表示装置２８の警報表示は、機器の異常動作とは異なる表示を行えば、貯蔵庫１の異常動作が機器の異常動作であるのか扉閉め忘れ時の異常動作であるのかを視覚により区別することができるようになる。尚、この場合も機器異常を例えば大きなブザー音、扉閉め忘れ時をメロディなどで警報器３０で発報し、聴覚で区別できるようにしてもよい。
【００５８】
このように、貯蔵庫１には貯蔵室３内の温度を検出する温度センサ２４と、警報出力を発生する警報器３０と、温度センサ２４の出力に基づいて貯蔵室３内の温度が所定の警報発生温度条件を満たした場合に、警報器３０にて警報出力を発生する制御装置２０とを備えている。そして、この制御装置２０は、貯蔵室３内の温度変化の勾配を算出しており、貯蔵室３内の温度が警報発生温度条件を満たした場合であっても、算出された温度勾配が所定値以上であるときは、警報器３０による警報出力の発生を禁止しているので、算出された温度勾配が所定値以上のときに扉４の開放、所定値未満の場合を機器異常としておけば、物品の納出時の扉４の開放による温度異常と機器の異常に伴う温度異常を区別し、扉４の開放による場合には警報出力の発生を禁止することができるようになる。これにより、警報発生原因を特定してメンテナンス業者の負担を軽減することが可能となる。
【００５９】
また、制御装置２０は、警報出力の発生を禁止した後、所定時間貯蔵室内の温度が警報発生温度条件を満たしている場合、警報器３０にて警報出力を発生するので、扉４の閉め忘れにより所定時間温度異常となっていることを警報することができるようになる。これにより、使用者に扉４を閉じることを促して貯蔵室３内に収納した物品に損傷が発生する不都合を未然に防止することが可能になる。
【００６０】
また、制御装置２０は、温度勾配が所定値未満であるときに発生させる警報（即ち、機器異常時の警報）と、所定値以上であって、且つ、所定時間警報発生温度条件を満たしている場合の警報（即ち、扉４の閉め忘れ時に発生させる警報）とを区別して出力するようにしたので、上述した扉４の閉め忘れの場合の警報と機器異常による警報とを区別することができるようになり、使用者に警報発生原因を的確に報知して迅速な対応を促すことが可能となる。
【００６１】
尚、実施例では、冷却と加温とを切り換え使用できる冷／温切換式の貯蔵庫で説明したが、それに限らず、冷蔵、温蔵機能のみのショーケースや、冷蔵庫などにも本発明は有効である。
【００６２】
また、貯蔵室３内の温度や、温度上昇割合などは実施例に限定されるものではなく、この発明の趣旨を逸脱しない範囲で様々な変更を行っても差し支えない。
【図面の簡単な説明】
【００６３】
【図１】本発明の一実施例を示す貯蔵庫の概略断面図である。
【図２】本発明の貯蔵庫の制御を行う制御回路のブロック図である。
【図３】本発明の一実施例を示す貯蔵庫を構成する機器が正常で扉が開放された時、及び、扉が閉じられていて機器が故障（機器異常）した時の貯蔵室内の温度変化を示す図である。
【符号の説明】
【００６４】
１  貯蔵庫
２  断熱箱体
３  貯蔵室
４  扉
６  冷却器
１２  機械室
１３  コンプレッサ
１４  凝縮器
２０  制御装置
２２  ヒータ
２４  温度センサ
２６  冷／温切換用スイッチ
２８  表示装置
３０  警報器
【図１】
2008241067.tif 000003
【図２】
2008241067.tif 000004
【図３】
2008241067.tif 000005